(57)【要約】【目的】使用する者が直立姿勢で、手元のハンドル棒を軽く下に押すことで、ハンドル棒の下に接続したトングの内側のスライド棒が、底板の上位にある鋏の柄をスライドしながら押す仕組みになっているので、開いている鋏の歯が閉じる。そこで、腰を深く屈めたり、しゃがむ必要もなく、土に生えている植物を、根元で切ることが出来るので、腰痛・膝痛を防ぎ、農業とかガーデニングが楽に出来る優れた農業用具・園芸用品を提供する。【構成】トング１の先端を上下に開き、端を広くして底板５とし水平に置く。底板５の上位に鋏３の外側の柄を固定し、鋏３の内側の柄にスライド棒４の先端がスライドする溝を作る。トング１の上部内側に上下に動くスライド棒４を取り付け、スライド棒４の先端に突起した玉を付け、鋏３の柄の溝にスライドさせる。トング１の上位先端に回転軸を付け、ハンドル棒２の下部を接続したことを特徴とする。【選択図】　　図１
2004033190.tif 000002
【特許請求の範囲】
【請求項１】
トング１の端を上下に開き下端を広くして底板５として設け、底板５の上位に鋏３を設け片側の柄にスライドする溝を作り、トング１の上部内側にスライド棒４を設け先端に突起した玉を付け、鋏３の柄の溝にスライド棒４の先端の玉を接続し、トング１の上位先端に回転軸を設けハンドル棒２の下部を接続した、プッシュばさみ。
【発明の詳細な説明】
【０００１】
【産業上の利用分野】
この発明は、農作業又はガーデニング中、直立姿勢で手元のハンドル棒を軽く下に押すことで、土に生えているアスパラガス・レタス・セロリー・雑草等の植物を、根元で切るため、鋏に接続したトングの上位にハンドル棒を設けた、農業用具・園芸用品に関する物である。
【０００２】
【従来の技術】
従来の農作業用鋏では、土に生えているアスパラガス等の植物を、根元で切る場合、一本一本その都度、腰を深く屈めたり、しゃがまなければ、作業が出来ない道具であった。
【０００３】
【発明が解決しょうとする課題】
従来の農作業は、成長した植物を収穫する場合、土の根元で切る作業は、必ず腰を深く屈めたり、しゃがまなければ出来ないため、腰痛・膝痛等の職業病を起こす人もある程、不便であった。最近では、ガーデニングも盛んになり、雑草等の成長も早く、取り除く作業に苦労している。
本発明は、これらの不便を解決する事が目的である。
【０００４】
【課題が解決するための手段】
トング１（トング１とは、二枚の鉄板を棒状にして重ね、片側の端と端をバネで接続し、開いた端で食品等を挟む場合に使う金物）の先端を左に向けて上下に開き、下側の鉄板を水平にして端の部分を広くして底板５とする。底板５の上位に鋏３の柄の部分にだけ重なるようにして、又、歯を向こうに向けて置き、外側（トング１の先端側）の柄を固定する。鋏３の内側（トング１のバネ側）の柄にスライド棒４の先端がスライドする溝を作る。トング１の上部の内側にスライド棒４を設け、先端が上下に動くように取り付ける。スライド棒４の先端に突起した玉を付け、鋏３の柄の溝に差し込む。トング１の上位先端に回転軸を付け、ハンドル棒２の上部をハンドルとし下部に穴を開けて差し込む。
本発明は、以上の構成により成る。プッシュばさみである。
【０００５】
【作用】
直立姿勢で、手元のハンドル棒２を軽く下に押すことで、ハンドル棒２の下に接続したトング１が閉じ、トング１の上部から斜めに降りたスライド棒４が水平に移動すると共に、スライド棒４の先端に突起した玉が、鋏３の柄に有る溝をスライドしながら押す仕組みになっている。そこで、開いている鋏３の歯が閉じるので、土に生えている植物を、根元で切ることが出来る。
【０００６】
【実施例】
以下、本発明の実施例について説明する。
（イ）　トング１を作る。　二枚の鉄板（巾４ｃｍ・長さ２２ｃｍ位）を設け、先端から７ｃｍ位を除き両側を縦長に折り曲げ、二本の棒状を作る。その時、棒状側の端３ｃｍ位を直角に折り曲げ、両側に重ね代を設け、折り曲げた側を内側にして端と端を重ねる。鉄板（巾１ｃｍ位・長さ８ｃｍ位）を設け、中心で横長に折り曲げてバネを作り、端と端を重ねた内側に入れ、中心に心棒を渡し、重ねた鉄板の外側で止める。その時、先端の開きが１６ｃｍ〜１８ｃｍ位に仕上がるように、内側のバネ用の鉄板を調節する。右利きの人の為に、トング１の先端を左に向けて（商品に向かって）上下に開き、下側の棒を地面に水平にする。
（ロ）　底板５を付ける。　鋏３の柄を開け閉めするためと、プッシュばさみが安定する為トング１の下側端に鉄板（巾７ｃｍ・長さ１０ｃｍ位）の底板５を付ける。この時、底板５の一部分がトング１の上位先端より外に出ても差し支えない。
（ハ）　鋏３を作る。　鋏３の柄の長さを５ｃｍ〜７ｃｍ位とし、鋏３の内側の柄にスライド棒４の先端の玉がスライドする溝（先端の玉に合わせた）を作る。この時、鋏３の柄の溝の長さ・角度と、スライド棒４の先端の玉が移動する長さ・角度は、比例している。底板５から歯を突き出して向こうに向けて置き、底板５の上位先端に鋏３の柄の外側を固定する。この時、トング１の下側棒の中心線上を鋏３の内側柄の溝が動くように、鋏３の外側柄を固定する。鋏３の歯の長さ・歯の厚さ等は、使用する用途に応じて調節する。柄の間にスプリング・棒バネ等を付けることも可能である。
（ニ）　スライド棒４を作る。　トング１の上部内側から鋏３の柄に接続するスライド棒４（直径０．８ｃｍ位・長さ１２ｃｍ位）を設け、鋏３の溝をスライドする為に、スライド棒４の先端に突起した玉を付ける。
（ホ）　スライド棒４をトング１の上部内側に付ける。　トング１の上部に付けたスライド棒４の位置が、鋏３の柄を全開した柄の先端（下部）の位置より、トング１のバネ寄りの場所に有る事。又、スライド棒４の先端が上下に動き、トング１の先端が完全に閉じるように取り付ける。又、鋏３の柄が開いてから完全に閉じる迄と、トング１の先端が全開してから完全に閉じるまでを調節しながら、トング１の上部内側に取り付ける。
（ヘ）　スライド棒４と鋏３の柄を接続する。　スライド棒４の先端の突起した玉を、鋏３の柄の溝の中に差し込んで接続し、鋏３の柄の先端を閉じる。
（ト）　トング１の上位先端にハンドル棒２の下部を接続する。パイプ状のアルミ・プラスチック・木等で出来た軽い棒状（直径２ｃｍ前後・長さ９０ｃｍ前後）の物を使用し、上部をハンドルとする。トング１の先端を押して開け閉めした時、常にハンドル棒２が地面から垂直な角度を保つ為、トング１の上位先端の辺に対して、水平に浮いた回転軸を付け、ハンドル棒２の下部の中心に横穴を開けて差し込み回転するように接続する。
（チ）　プッシュばさみを閉じる。　プッシュばさみを閉じて仕舞う為、トング１の先端を閉じる止め金を、鋏３の柄の近くのトング１に付ける。
本発明は、以上の構造でこれを使用する時の状態を説明する。
農作業又はガーデニング中、直立姿勢で手元のハンドル棒２を軽く下に押す事で、ハンドル棒２の下に接続したトング１の上部先端が、下に押されてトング１が閉じる。と共に、トング１の上部内側から斜めに降りた、スライド棒４の先端が、トング１の先端の方向に移動し水平になる。その時、スライド棒４の先端に突起した玉が、鋏３の柄の溝をスライドしながら鋏３の柄を押す。と共に、鋏３の歯が閉じる。そこで、土に生えている植物を、根元で切ることが出来る。
【０００７】
【発明の効果】
使用する者が直立姿勢で、手元のハンドル棒を軽く下に押す事で、ハンドル棒の下に接続した鋏の歯が閉じる仕組みに成っている。そこで、腰を深く屈めたり、しゃがむ必要もなく、土に生えている植物を、根元で切る事が出来るので、腰痛・膝痛を防ぎ、とても楽で快適で、農作業とかガーデニングに大変便利な農業用具・園芸用品である。
【図面の簡単な説明】
【図１】本発明の一例のトング１の先端が開いた状態を横から見た斜視図である。
【図２】本発明の一例のトング１の内側あたりの斜視図である。
【図３】本発明の一例のトング１のバネ側から見た斜視図である。
【図４】本発明の一例のハンドル棒４を押えた状態で横から見た斜視図である。
【符号の説明】
１　トング
２　ハンドル棒
３　鋏
４　スライド棒
５　底板
【図１】
2004033190.tif 000003
【図２】
2004033190.tif 000004
【図３】
2004033190.tif 000005
【図４】
2004033190.tif 000006